(57)【要約】本発明の一つの態様の送風装置において、リードケーブルは、ケーブル引出通路を介して、収容部の内部から収容部の外部に引き出される。封止材は、収容部の内部およびケーブル引出通路に配置される。ケーブルガイド部は、ケーブル引出通路における周方向一方側の内側面から突出し、軸方向に延びた第１凸部と、ケーブル引出通路における周方向他方側の内側面から突出し、軸方向に延びた第２凸部と、を有する。チューブは、チューブの外側面に設けられ、周方向に窪み第１凸部が挿入された第１凹部と、チューブの外側面に設けられ、周方向に窪み第２凸部が挿入された第２凹部と、を有する。第１凸部は、チューブの外側面のうち第１凹部を構成している部分と接触し、第２凸部は、チューブの外側面のうち第２凹部を構成している部分と接触している。
2017188436.tif 000002
【特許請求の範囲】
【請求項１】
一方向に延びる中心軸周りに回転可能なインペラと、
前記インペラの軸方向下側に配置され、前記中心軸周りに前記インペラを回転させるモータと、
少なくとも一部において前記モータと軸方向に重なり、前記モータと電気的に接続された回路基板と、
前記回路基板に電気的に接続されたリード線および前記リード線を覆うチューブを有するリードケーブルと、
前記モータの軸方向下側に配置され前記回路基板を収容する収容部を有し、軸方向下側から前記モータを支持するモータ支持部と、
前記モータ支持部よりも径方向外側に配置され、前記インペラおよび前記モータを周方向に囲むハウジングと、
前記モータ支持部と前記ハウジングとを繋ぐ複数のリブと、
前記リブに沿って前記モータ支持部から前記ハウジングに向かって延びたケーブルガイド部と、
前記回路基板の少なくとも一部を覆う封止材と、
を備え、
前記ケーブルガイド部は、前記ケーブルガイド部が延びる延伸方向に沿って延び前記ケーブルガイド部の前記延伸方向の両端に開口するケーブル引出通路を有し、
前記ケーブル引出通路の前記モータ支持部側の第１開口部は、前記収容部の内部に開口し、
前記ケーブル引出通路の前記ハウジング側の第２開口部は、前記収容部の外部に開口し、
前記リードケーブルは、前記ケーブル引出通路を介して、前記収容部の内部から前記収容部の外部に引き出され、
前記封止材は、前記収容部の内部および前記ケーブル引出通路に配置され、  前記ケーブルガイド部は、
前記ケーブル引出通路における周方向一方側の内側面から突出し、軸方向に延びた第１凸部と、
前記ケーブル引出通路における周方向他方側の内側面から突出し、軸方向に延びた第２凸部と、
を有し、
前記チューブは、
前記チューブの外側面に設けられ、周方向に窪み前記第１凸部が挿入された第１凹部と、
前記チューブの外側面に設けられ、周方向に窪み前記第２凸部が挿入された第２凹部と、
を有し、
前記第１凸部は、前記チューブの外側面のうち前記第１凹部を構成している部分と接触し、
前記第２凸部は、前記チューブの外側面のうち前記第２凹部を構成している部分と接触している、送風装置。
【請求項２】
前記ケーブルガイド部は、前記延伸方向の位置が互いに異なる前記第１凸部と前記第２凸部とを有する、請求項１に記載の送風装置。
【請求項３】
前記リブおよび前記ケーブル引出通路は、軸方向に視て径方向に対して傾斜した方向に延びている、請求項１または２に記載の送風装置。
【請求項４】
前記リブおよび前記ケーブル引出通路は、軸方向に視て周方向に湾曲している、請求項
３に記載の送風装置。
【請求項５】
前記リブは、軸方向に対して、傾斜する受風面を持つ翼形状である、請求項４に記載の送風装置。
【請求項６】
前記チューブは、前記第１凸部および前記第２凸部が配置された箇所と異なる位置において、前記ケーブル引出通路における周方向両側の内側面と接触している、請求項１から５のいずれか一項に記載の送風装置。
【請求項７】
前記ケーブルガイド部は、複数の前記第１凸部と、複数の前記第２凸部と、を有する、請求項１から６のいずれか一項に記載の送風装置。
【請求項８】
前記第１凸部と前記第２凸部とは、それぞれ３つずつ設けられている、請求項７に記載の送風装置。
【請求項９】
前記チューブは、前記第１凸部同士の前記延伸方向の間において、前記ケーブル引出通路における周方向一方側の内側面と接触し、前記第２凸部同士の前記延伸方向の間において、前記ケーブル引出通路における周方向他方側の内側面と接触している、請求項７または８に記載の送風装置。
【請求項１０】
前記ケーブルガイド部は、前記ケーブル引出通路における軸方向下側に向いた内側面から突出した第３凸部を有し、
前記チューブは、前記チューブの外側面に設けられ、軸方向下側に窪み前記第３凸部が挿入された第３凹部を有し、
前記第３凸部は、前記チューブの外側面のうち前記第３凹部を構成している部分と接触している、請求項１から９のいずれか一項に記載の送風装置。
【請求項１１】
前記第３凸部は、前記第１凸部の軸方向上端と前記第２凸部の軸方向上端とを繋いでいる、請求項１０に記載の送風装置。
【請求項１２】
前記第１凸部と前記第２凸部と前記第３凸部とが連結されて構成された連結凸部が、前記延伸方向に間隔を空けて複数設けられている、請求項１１に記載の送風装置。
【請求項１３】
前記第２開口部は、前記ハウジングの径方向内側面と隙間を介して対向している、請求項１から１２のいずれか一項に記載の送風装置。
【請求項１４】
前記ケーブル引出通路の前記延伸方向の両端部は、前記延伸方向および軸方向の両方と直交する幅方向における前記ケーブル引出通路の寸法が大きくなっている、請求項１から１３のいずれか一項に記載の送風装置。
【請求項１５】
前記ケーブル引出通路は、軸方向下側に第３開口部を有する溝である、請求項１から１４のいずれか一項に記載の送風装置。
【請求項１６】
軸方向において、前記第１凸部および前記第２凸部は、前記ケーブル引出通路の前記第３開口部側の端部から、軸方向上側に離れて配置されている、請求項１５に記載の送風装置。
【請求項１７】
軸方向において、前記第１凸部の前記第３開口部側の端部および前記第２凸部の前記第３開口部側の端部は、軸方向上側から軸方向下側に向かうに従って突出高さが小さくなる、請求項１５または１６に記載の送風装置。
【請求項１８】
前記第１凸部および前記第２凸部は、曲面部を有する、請求項１から１７のいずれか一項に記載の送風装置。
【請求項１９】
前記モータは、
前記回路基板と電気的に接続された環状のステータと、
前記ステータの径方向外側に配置され前記インペラに固定されたロータマグネットと、
を有し、
前記収容部は、底面部を有し軸方向上側に開口する筒状であり、
前記モータ支持部は、前記底面部の中央から軸方向上側に延びたステータ支持部を有し、
前記ステータは、前記ステータ支持部の外周面に嵌め合わされて固定されている、請求項１から１８のいずれか一項に記載の送風装置。
【発明の詳細な説明】
【技術分野】
【０００１】
本発明は、送風装置に関する。
【背景技術】
【０００２】
従来、ステータ巻線に所定の電流を供給する電子回路を搭載した回路基板を備える送風機が知られている。例えば、特許文献１の送風機においては、回路基板に電源を供給するためのリード線が接続されている。
【先行技術文献】
【特許文献】
【０００３】
【特許文献１】特開２００２−５０９３号公報
【発明の概要】
【発明が解決しようとする課題】
【０００４】
ところで、上記のような送風機が、例えば、通信基地局等に用いられる場合、送風機は屋外に設置される。そのため、回路基板を封止材で覆って、送風機に防水対策および防塵対策を施す必要がある。【０００５】
回路基板を封止材で覆うためには、送風機における回路基板が収容される収容部に液状の封止材を流し込んで硬化させる方法が考えられる。ここで、送風機には、回路基板に接続されたリード線を送風機の外部に引き出すためのケーブルガイド部が設けられる。そのため、収容部に流し込んだ封止材がケーブルガイド部を介して送風機の外部に漏れる場合があった。封止材が漏れると、回路基板の封止が不十分となる場合がある。また、漏れた封止材によって送風機の風量特性が低下する場合がある。【０００６】
本発明は、上記問題点に鑑みて、封止材が漏れることを抑制できる構造を有する送風装
置を提供することを目的の一つとする。
【課題を解決するための手段】
【０００７】
本発明の一つの態様の送風装置は、一方向に延びる中心軸周りに回転可能なインペラと、前記インペラの軸方向下側に配置され、前記中心軸周りに前記インペラを回転させるモータと、少なくとも一部において前記モータと軸方向に重なり、前記モータと電気的に接続された回路基板と、前記回路基板に電気的に接続されたリード線および前記リード線を覆うチューブを有するリードケーブルと、前記モータの軸方向下側に配置され前記回路基板を収容する収容部を有し、軸方向下側から前記モータを支持するモータ支持部と、前記モータ支持部よりも径方向外側に配置され、前記インペラおよび前記モータを周方向に囲むハウジングと、前記モータ支持部と前記ハウジングとを繋ぐ複数のリブと、前記リブに沿って前記モータ支持部から前記ハウジングに向かって延びたケーブルガイド部と、前記回路基板の少なくとも一部を覆う封止材と、を備え、前記ケーブルガイド部は、前記ケーブルガイド部が延びる延伸方向に沿って延び前記ケーブルガイド部の前記延伸方向の両端に開口するケーブル引出通路を有し、前記ケーブル引出通路の前記モータ支持部側の第１開口部は、前記収容部の内部に開口し、前記ケーブル引出通路の前記ハウジング側の第２開口部は、前記収容部の外部に開口し、前記リードケーブルは、前記ケーブル引出通路を介して、前記収容部の内部から前記収容部の外部に引き出され、前記封止材は、前記収容部の内部および前記ケーブル引出通路に配置され、前記ケーブルガイド部は、前記ケーブル引出通路における周方向一方側の内側面から突出し、軸方向に延びた第１凸部と、前記ケーブル引出通路における周方向他方側の内側面から突出し、軸方向に延びた第２凸部と、を有し、前記チューブは、前記チューブの外側面に設けられ、周方向に窪み前記第１凸部が挿入された第１凹部と、前記チューブの外側面に設けられ、周方向に窪み前記第２凸部が挿入された第２凹部と、を有し、前記第１凸部は、前記チューブの外側面のうち前記第１凹部を構成している部分と接触し、前記第２凸部は、前記チューブの外側面のうち前記第２凹部を構成している部分と接触している。
【発明の効果】
【０００８】
本発明の一つの態様によれば、封止材が漏れることを抑制できる構造を有する送風装置が提供される。
【図面の簡単な説明】
【０００９】
【図１】図１は、本実施形態の送風装置を示す断面図である。
【図２】図２は、本実施形態の送風装置を下側から視た底面図である。
【図３】図３は、本実施形態の送風装置の部分を下側から視た斜視図である。
【図４】図４は、本実施形態の送風装置の部分を下側から視た底面図である。
【図５】図５は、本実施形態のケーブルガイド部およびリードケーブルを示す図であって、図４におけるV−V断面図である。
【図６】図６は、本実施形態のケーブルガイド部およびリードケーブルの部分を下側から視た底面図である。
【図７】図７は、本実施形態の他の一例であるケーブルガイド部およびリードケーブルを示す断面図である。
【発明を実施するための形態】
【００１０】
図１に示すように、本実施形態の送風装置１０は、一方向に延びる中心軸Ｊ周りに回転可能なインペラ２０と、モータ３０と、モータ支持部４０と、回路基板８０と、ハウジング５０と、複数のリブ６０と、ケーブルガイド部７０と、リードケーブル８１と、封止材９０と、を備える。本実施形態において中心軸Ｊが延びる一方向は、上下方向とする。なお、各図に示すＺ軸方向は、上下方向を示している。
【００１１】
なお、以下の説明においては、中心軸Ｊと平行な方向を単に「軸方向」と呼ぶ場合があり、中心軸Ｊを中心とする径方向を単に「径方向」と呼ぶ場合があり、中心軸Ｊを中心とする周方向を単に「周方向」と呼ぶ場合がある。また、軸方向において、軸方向上側を単に「上側」と呼ぶ場合があり、軸方向下側を単に「下側」と呼ぶ場合がある。なお、上下方向、上側および下側は、単に説明のために用いられる名称であって、実際の位置関係および方向を限定しない。また、各図において、Ｚ軸方向の正の側は、上側を示しており、Ｚ軸方向の負の側は、下側を示している。
【００１２】
インペラ２０は、下側に開口する筒状のインペラカップ２１と、インペラカップ２１の外周面に周方向に沿って配置された複数の翼２２と、を有する。
【００１３】
モータ３０は、インペラ２０の軸方向下側に配置され、中心軸Ｊ周りにインペラ２０を回転させる。モータ３０は、インペラカップ２１の内部に配置される。本実施形態においてモータ３０は、インペラ２０を、例えば、上側から視て反時計回りの向きに回転させる。以下の説明においては、周方向において翼２２が進む側、すなわち下側から視て時計回りに進む側を「下流側」と呼ぶ場合があり、周方向において翼２２が進む側と逆側、すなわち下側から視て反時計回りに進む側を「上流側」と呼ぶ場合がある。
【００１４】
モータ３０は、シャフト３１と、ステータ３４と、ロータカップ３２と、ロータマグネット３３と、を有する。シャフト３１は、中心軸Ｊを中心として軸方向に延びている。シャフト３１は、後述するステータ支持部４１の径方向内側に挿入されている。シャフト３１は、ベアリングを介してステータ支持部４１の径方向内側面に回転可能に支持されている。シャフト３１の上端には、インペラカップ２１が固定されている。ステータ３４は、シャフト３１を周方向に囲む環状である。ステータ３４は、ステータ支持部４１の外周面に固定されている。ステータ３４の固定方法は、嵌め合わせ、接着、圧入等、特に限定されない。ステータ３４は、回路基板８０と電気的に接続されている。
【００１５】
ロータカップ３２は、下側に開口する筒状であり、ステータ３４の径方向外側に配置されている。ロータカップ３２の上部は、インペラカップ２１の径方向内側に配置されている。ロータカップ３２は、インペラカップ２１に固定されている。なお、ロータカップ３２、インペラカップ２１およびシャフト３１の固定構造は、これに限定されない。ロータマグネット３３は、ロータカップ３２の内周面に固定されている。すなわち、ロータマグネット３３は、ロータカップ３２を介してインペラ２０に固定されている。ロータマグネット３３は、例えば、円筒状である。ロータマグネット３３は、ステータ３４の径方向外側において、ステータ３４と径方向に隙間を介して対向している。
【００１６】
ロータカップ３２は、下側に開口する筒状であり、ステータ３４の径方向外側に配置されている。ロータカップ３２の上部は、インペラカップ２１の径方向内側に配置されている。ロータカップ３２は、インペラカップ２１に固定されている。ロータマグネット３３は、ロータカップ３２の内周面に固定されている。すなわち、ロータマグネット３３は、ロータカップ３２を介してインペラ２０に固定されている。ロータマグネット３３は、例えば、円筒状である。ロータマグネット３３は、ステータ３４の径方向外側において、ステータ３４と径方向に隙間を介して対向している。
【００１７】
モータ支持部４０は、軸方向下側からモータ３０を支持する。モータ支持部４０は、収容部４２と、ステータ支持部４１と、を有する。収容部４２は、軸方向上側に開口するカップ状である。収容部４２は、回路基板８０を収容する。収容部４２は、モータ３０の軸方向下側に配置されている。
【００１８】
収容部４２は、径方向に拡がる底面部４２ａと、底面部４２ａの径方向外縁から上側に延びたカップ状の筒部４２ｂと、を有する。底面部４２ａは、底面部４２ａを軸方向に貫通する底面部貫通孔４２ｃを有する。底面部貫通孔４２ｃは、底面部４２ａの径方向外縁に設けられている。図２に示すように、底面部貫通孔４２ｃは、軸方向に視て略矩形状である。
【００１９】
図１に示すように、筒部４２ｂは、ステータ３４、ロータカップ３２およびロータマグネット３３の下端の径方向外側を周方向に囲んでいる。ステータ支持部４１は、底面部４２ａから軸方向上側に延びている。ステータ支持部４１は、中心軸Ｊを中心とした円筒状である。
【００２０】
回路基板８０は、径方向に拡がる板状である。回路基板８０は、筒部４２ｂの径方向内側に配置されている。回路基板８０は、モータ３０の下側に配置され、少なくとも一部においてモータ３０と軸方向に重なっている。回路基板８０は、例えば、モータ支持部４０に固定されている。回路基板８０には、ステータ３４のコイルが接続されている。これにより、回路基板８０は、モータ３０と電気的に接続されている。
【００２１】
ハウジング５０は、モータ支持部４０よりも径方向外側に配置されている。図１および図２に示すように、ハウジング５０は、軸方向に延びる角筒状である。ハウジング５０は、インペラ２０およびモータ３０を径方向外方から周方向に囲んでいる。図１では、ハウジング５０の下端は、モータ支持部４０の下端と、軸方向において同じ位置にある。図２では、ハウジング５０の外形は、軸方向に視て略正方形状である。ハウジング５０は、四隅に配置された角部５０ａを有する。角部５０ａは、軸方向に視て略三角形状である。角部５０ａの下面は、径方向内側の部分に、径方向外側から径方向内側に向かうに従って上側に位置する斜面部５０ｂを有する。角部５０ａのうちの一つには、リードケーブル８１が固定されるケーブル固定部５１が設けられている。
【００２２】
複数のリブ６０は、モータ支持部４０とハウジング５０とを繋いでいる。より詳細には、複数のリブ６０は、収容部４２の外周面とハウジング５０の径方向内側面とを繋いでいる。複数のリブ６０は、周方向に沿って等間隔に配置されている。リブ６０の径方向外側の端部は、ハウジング５０の径方向内側面と接続されている。より詳細には、リブ６０の径方向外側の端部は、斜面部５０ｂの周方向の端部に接続されている。図２では、リブ６０は、８つ設けられている。８つのリブ６０は、４つの斜面部５０ｂの周方向両端部にそれぞれ接続されている。
【００２３】
リブ６０は、軸方向に視て径方向に対して傾斜した方向に延びている。図２では、リブ６０は、軸方向に視て周方向に湾曲している。より詳細には、リブ６０は、径方向内側から径方向外側に向かって、上流側に湾曲している。リブ６０は、例えば、曲率が異なる複数の部分から構成されている。
【００２４】
リブ６０は、軸方向に対して傾斜する受風面６０ａを有する翼形状である。受風面６０ａは、任意の径方向断面における軸方向下側の端縁が軸方向上側の端縁よりインペラ２０の回転方向における下流側に位置するように傾斜してリブ６０のインペラ２０側に面する傾斜面である。受風面６０ａの上端部と受風面６０ａの下端部とは、平面、あるいは滑らかな曲面で繋がっている。リブ６０は、インペラ２０によって送られる風を整流する静翼として機能する。
【００２５】
ケーブルガイド部７０は、リブ６０に沿ってモータ支持部４０からハウジング５０に向かって延びている。より詳細には、ケーブルガイド部７０は、収容部４２の外周面からハウジング５０の径方向内側面に向かって、上流側に湾曲して延びている。ケーブルガイド部７０のハウジング５０側の端部は、ハウジング５０の径方向内側面よりも径方向内側に位置する。ケーブルガイド部７０は、複数のリブ６０のうちの一つのリブ６０の下流側に接続されている。
【００２６】
図３および図４に示すように、ケーブルガイド部７０は、ケーブル引出通路７０ａを有する。ケーブル引出通路７０ａは、ケーブルガイド部７０が延びる延伸方向に沿って延びている。ケーブル引出通路７０ａは、軸方向に視て径方向に対して傾斜した方向に延びている。ケーブル引出通路７０ａは、軸方向に視て周方向に湾曲している。ケーブル引出通路７０ａは、ケーブルガイド部７０の延伸方向の両端に開口している。
【００２７】
なお、本明細書において、「ケーブルガイド部の延伸方向」とは、軸方向に視て径方向位置ごとのケーブルガイド部の周方向の中心を繋いだ曲線Ｃ１が延びる方向を含む。以下の説明においては、ケーブルガイド部７０の延伸方向を単に「延伸方向」と呼ぶ場合がある。
【００２８】
ケーブル引出通路７０ａのモータ支持部４０側の第１開口部７０ｂは、収容部４２の内部に開口している。第１開口部７０ｂは、底面部貫通孔４２ｃと繋がっている。ケーブル引出通路７０ａのハウジング５０側の第２開口部７０ｃは、収容部４２の外部に開口している。第２開口部７０ｃは、ハウジング５０の径方向内側面と、隙間を介して対向している。
【００２９】
ケーブル引出通路７０ａの延伸方向の両端部、すなわち第１開口部７０ｂおよび第２開口部７０ｃは、延伸方向および軸方向の両方と直交する幅方向におけるケーブル引出通路７０ａの寸法が大きくなっている。図３に示すように、本実施形態においてケーブル引出通路７０ａは、軸方向下側に第３開口部７０ｄを有する溝である。なお、ケーブル引出通路７０ａは、軸方向上側に開口する溝であってもよい。
【００３０】
なお、本明細書において「幅方向」とは、軸方向に視て曲線Ｃ１に対して直交する線分Ｃ２の延びる方向を含む。図４では、線分Ｃ２は代表して１つのみ示しているが、線分Ｃ２は、曲線Ｃ１の延伸方向位置ごとに規定される。図４では、線分Ｃ２の延びる方向は、曲線Ｃ１の延伸方向位置に応じて異なる。
【００３１】
ケーブルガイド部７０は、連結凸部７４を有する。連結凸部７４は、ケーブル引出通路７０ａの内側面から突出している。連結凸部７４は、延伸方向に間隔を空けて複数設けられている。連結凸部７４は、例えば、３つ設けられている。連結凸部７４の形状は、第３開口部７０ｄ側に開口するＵ字形状である。
【００３２】
図５に示すように、連結凸部７４は、第１凸部７１と第２凸部７２と第３凸部７３とが連結されて構成されている。すなわち、ケーブルガイド部７０は、第１凸部７１と、第２凸部７２と、第３凸部７３と、を有する。本実施形態では、連結凸部７４は３つ設けられているため、第１凸部７１と第２凸部７２と第３凸部７３とは、それぞれ３つずつ設けられている。すなわち、ケーブルガイド部７０は、複数の第１凸部７１と、複数の第２凸部７２と、複数の第３凸部７３と、を有する。
【００３３】
図４に示すように、第１凸部７１は、ケーブル引出通路７０ａにおける上流側の内側面７０ｅから突出している。第２凸部７２は、ケーブル引出通路７０ａにおける下流側の内側面７０ｆから突出している。第１凸部７１および第２凸部７２は、軸方向に延びている。
【００３４】
図５に示すように、軸方向において、第１凸部７１および第２凸部７２は、ケーブル引出通路７０ａの第３開口部７０ｄ側の端部から、軸方向上側に離れて配置されている。
【００３５】
図４に示すように、連結凸部７４ごとに、第１凸部７１と第２凸部７２とは、周方向に隙間を介して対向している。本実施形態では、ケーブル引出通路７０ａは軸方向に視て周方向に湾曲しているため、周方向に対向する第１凸部７１と第２凸部７２とは、延伸方向において互いに異なる位置にある。すなわち、ケーブルガイド部７０は、延伸方向の位置が互いに異なる第１凸部７１と第２凸部７２とを有する。本実施形態では、３つの第１凸部７１と３つの第２凸部７２とは、それぞれ延伸方向の位置が互いに異なり、延伸方向に沿ってケーブル引出通路７０ａを辿る場合に、第１凸部７１と第２凸部７２とが交互に設けられている。
【００３６】
図６に示すように、第１凸部７１の断面形状は、角丸の略長方形状である。すなわち、第１凸部７１は、角部に曲面部７１ａを有する。図示は省略するが、第２凸部７２の断面形状も、第１凸部７１の断面形状と同様である。すなわち、第１凸部７１および第２凸部７２は、曲面部を有する。
【００３７】
図５に示すように、第３凸部７３は、ケーブル引出通路７０ａにおける軸方向下側に向いた内側面７０ｇから突出している。図４に示すように、第３凸部７３は、略周方向に延びている。各第３凸部７３は、径方向に沿って等間隔に配置されている。図５に示すように、第３凸部７３は、第１凸部７１の上端と第２凸部７２の上端とを繋いでいる。
【００３８】
図１に示すように、リードケーブル８１は、回路基板８０に接続されている。図１および図２に示すように、リードケーブル８１は、ケーブル引出通路７０ａを介して、収容部４２の内部から収容部４２の外部に引き出されている。より詳細には、リードケーブル８１は、底面部貫通孔４２ｃから、第１開口部７０ｂを介してケーブル引出通路７０ａ内に導かれ、第２開口部７０ｃから収容部４２の外部に引き出されている。外部に引き出されたリードケーブル８１は、ハウジング５０のケーブル固定部５１に固定され、ハウジング５０よりも径方向外側に引き出される。
【００３９】
リードケーブル８１は、リード線８２およびチューブ８３を有する。リード線８２は、回路基板８０と電気的に接続されている。リード線８２は、回路基板８０の下面に接続されている。リード線８２は、例えば、複数設けられている。リード線８２は、図１では４本設けられている。チューブ８３は、リード線８２を覆っている。本実施形態では、チューブ８３は、束ねられた複数のリード線８２を覆っている。チューブ８３は、絶縁性を有する。チューブ８３は、例えば、熱収縮チューブである。熱収縮する前のチューブ８３で複数のリード線８２を覆い、チューブ８３に熱を加える。チューブ８３がある程度熱収縮した状態で、リードケーブル８１は第３開口部７０ｄからケーブル引出通路７０ａに押し込まれる。これにより、リードケーブル８１はケーブル引出通路７０ａに挿入される。チューブ８３の構成については、後段において詳述する。
【００４０】
図１および図５に示すように、封止材９０は、収容部４２の内部およびケーブル引出通路７０ａに配置されている。図１では、封止材９０は、収容部４２の内部の下部に充填されている。封止材９０は、回路基板８０の少なくとも一部を覆っている。図１では、回路基板８０は封止材９０の内部に埋め込まれており、封止材９０は回路基板８０の全体を覆っている。封止材９０は、例えば、シリコーン等である。
【００４１】
図１および図５に示すように、封止材９０は、液体の状態で、上側から収容部４２の内部に流し込まれる。このとき、モータ支持部４０の下面には治具Ｆが配置される。治具Ｆは、底面部貫通孔４２ｃおよび第３開口部７０ｄを下側から閉塞している。これにより、収容部４２の内部に流し込まれた液状の封止材９０が、底面部貫通孔４２ｃおよび第３開口部７０ｄから下側に漏れることを抑制できる。液状の封止材９０を流し込んだ後、封止材９０を硬化させる。
【００４２】
次に、チューブ８３の構成について詳述する。図５に示すように、チューブ８３は、第１凹部８４ａと、第２凹部８４ｂと、第３凹部８４ｃと、を有する。第１凹部８４ａと第２凹部８４ｂと第３凹部８４ｃとは、チューブ８３の外側面に設けられている。第１凹部８４ａは、周方向に窪み第１凸部７１が挿入された凹部である。第２凹部８４ｂは、周方向に窪み第２凸部７２が挿入された凹部である。
【００４３】
図６に示すように、第１凹部８４ａの内側面は、第１凸部７１と密着している。すなわち、第１凸部７１は、チューブ８３の外側面のうち第１凹部８４ａを構成している部分と接触している。同様に、第２凹部８４ｂの内側面は、第２凸部７２と密着している。すなわち、第２凸部７２は、チューブ８３の外側面のうち第２凹部８４ｂを構成している部分と接触している。そのため、チューブ８３が周方向の両側で第１凸部７１と第２凸部７２とを介して、ケーブル引出通路７０ａの内側からケーブルガイド部７０と接触している。これにより、封止材９０がチューブ８３と第１凸部７１および第２凸部７２との接触箇所で堰き止められる。したがって、収容部４２に流し込まれた液状の封止材９０が、第２開口部７０ｃからケーブル引出通路７０ａの外部に漏れることを抑制できる。また、外部からケーブル引出通路７０ａを通って水滴等が浸入することを抑制できる。
【００４４】
例えば、封止材９０が第２開口部７０ｃから漏れると、図１に示す封止材９０の上面位置が下がり、回路基板８０が露出する場合がある。そのため、送風装置の防水性および防塵性が不十分となる場合がある。これに対して、本実施形態によれば、封止材９０が漏れることを抑制できるため、封止材９０の上面位置が下がることを抑制でき、回路基板８０が露出することを抑制できる。同時に、外部から水が浸入する隙間を無くす事ができる。したがって、送風装置１０の防水性および防塵性が低下することを抑制できる。
【００４５】
また、例えば、第２開口部７０ｃから漏れた封止材９０がケーブルガイド部７０の外側面等に付着した状態で硬化すると、硬化した封止材９０によってインペラ２０から送られる風の流れが阻害され、送風装置１０の風量特性が低下する場合がある。これに対して、本実施形態によれば、封止材９０が漏れることを抑制できるため、送風装置１０の風量特性が低下することを抑制できる。
【００４６】
例えば、封止材９０が第２開口部７０ｃから漏れて回路基板８０が露出した場合、封止材９０が硬化した後に、再度封止材を流し込み回路基板８０を覆う方法も考えられる。しかし、この場合、封止材９０を流し込む工程を２回行う必要があるため、送風装置を製造する工程数が増加する。また、例えば、封止材９０を収容部４２に流し込む前に、ケーブル引出通路７０ａの第２開口部７０ｃを何らかの手段により封止しておき、封止材９０が第２開口部から漏れることを抑制する方法も考えられる。しかし、この場合にも、第２開口部７０ｃを封止する工程が必要となり、送風装置を製造する工程数が増加する。そのため、送風装置を製造する手間およびコストが増大する問題があった。これに対して本実施形態によれば、リードケーブル８１をケーブル引出通路７０ａに配置することで封止材９０が漏れることを抑制できるため、送風装置１０を製造する手間およびコストが増大することを抑制できる。
【００４７】
また、上述したように、ケーブルガイド部７０の延伸方向の位置が互いに異なる第１凸部７１と第２凸部７２とが設けられている。そのため、リードケーブル８１に幅方向の曲げ応力が加えられ、リードケーブル８１を第１凸部７１と第２凸部７２とに対して、より強く押し付けることができる。これにより、封止材９０が漏れることをより抑制できる。また、延伸方向の位置が互いに異なる第１凸部７１と第２凸部７２とが設けられることで、延伸方向において、ケーブル引出通路７０ａの一部が狭くなることを抑制できる。これにより、リードケーブル８１をケーブル引出通路７０ａに挿入しやすい。
【００４８】
また、リブ６０およびケーブル引出通路７０ａは、軸方向に視て径方向に対して傾斜した方向に延びている。そのため、リードケーブル８１を回路基板８０からケーブル固定部５１まで取り回す際、ケーブル引出通路７０ａを通ることでリードケーブル８１に曲げ応力を加えやすい。これにより、リードケーブル８１を第１凸部７１および第２凸部７２に対して、より強く押し付けやすい。したがって、封止材９０が漏れることをより抑制できる。
【００４９】
また、リブ６０およびケーブル引出通路７０ａは、軸方向に視て周方向に湾曲している。そのため、自然状態で直線状のリードケーブル８１をケーブル引出通路７０ａに通すことで、リードケーブル８１がケーブル引出通路７０ａに沿って曲げられ、第１凸部７１および第２凸部７２に対して、より強く押し付けられる。したがって、封止材９０が漏れることをより抑制できる。
【００５０】
また、第１凸部７１と第２凸部７２とは、それぞれ複数ずつ設けられるため、封止材９０が漏れることをより抑制できる。
【００５１】
また、本実施形態にように、リブ６０が翼形状で、静翼として機能する場合、ケーブルガイド部７０の延伸方向の寸法が大き過ぎると、ケーブルガイド部７０によってリブ６０による整流効果が阻害され、送風装置の風量特性が低下する場合がある。そのため、ケーブルガイド部７０の延伸方向の寸法は比較的小さくすることが好ましい。しかし、この場合には、収容部４２から第２開口部７０ｃまでの距離が短くなり、第２開口部７０ｃから封止材９０が漏れやすくなる。また、第２開口部７０ｃがハウジング５０の径方向内側において収容部４２の外部に開口するため、封止材９０が漏れた場合、漏れた封止材９０が送風装置の風量特性に、より影響を与えやすい。したがって、上述した封止材９０が漏れることを抑制できたことによる効果は、リブ６０が翼形状である場合に、特に効果を大きく得られる。
【００５２】
本実施形態では、上述したように、第２開口部７０ｃがハウジング５０の径方向内側面と隙間を介して対向しているため、ケーブルガイド部７０の延伸方向の寸法を、ケーブルガイド部７０がハウジング５０の径方向内側面に接続している場合に比べて短くできる。これにより、リードケーブル８１を回路基板８０からケーブル固定部５１まで取り回す際、リードケーブル８１をケーブル引出通路７０ａに通すことで、リードケーブル８１に対して部分的に曲げ応力を加えやすい。したがって、リードケーブル８１を第１凸部７１および第２凸部７２に対して、より強く押し付けやすい。したがって、封止材９０が漏れることをより抑制できる。また、ケーブルガイド部７０が比較的短いため、ケーブルガイド部７０によってリブ６０による整流効果が阻害されにくく、送風装置１０の風量特性が低下することを抑制できる。
【００５３】
また、例えば、ケーブル引出通路７０ａにリードケーブル８１を挿入する際に、チューブ８３の外側面がケーブル引出通路７０ａの内側面と接触する等によって損傷すると、チューブ８３と第１凸部７１および第２凸部７２との接触が不十分になる場合がある。この場合、封止材９０の漏れを抑制する効果が低下する場合がある。
【００５４】
これに対して、上述したように、第１開口部７０ｂおよび第２開口部７０ｃは、幅方向におけるケーブル引出通路７０ａの寸法が大きくなっている。そのため、第１開口部７０ｂおよび第２開口部７０ｃにおいては、リードケーブル８１の配置自由度が大きく、リードケーブル８１をケーブル引出通路７０ａに取り回しやすい。これにより、リードケーブル８１をケーブル引出通路７０ａに挿入しやすく、摩擦等によってチューブ８３に過剰な負荷が加えられることを抑制できる。したがって、チューブ８３が損傷することを抑制できる。その結果、チューブ８３の損傷による、封止材９０の漏れを抑制できる。封止材９０が漏れることを抑制できる。また、リードケーブル８１をケーブル引出通路７０ａに挿入しやすく、送風装置１０の組み立て性を向上できる。
【００５５】
また、ケーブル引出通路７０ａは溝であるため、上述したように第３開口部７０ｄからリードケーブル８１を挿入することができる。これにより、リードケーブル８１をよりケーブル引出通路７０ａに挿入しやすく、チューブ８３が損傷することを抑制できる。したがって、封止材９０が漏れることをより抑制できる。また、送風装置１０の組み立て性をより向上できる。
【００５６】
また、軸方向において、第１凸部７１および第２凸部７２は、ケーブル引出通路７０ａの第３開口部７０ｄ側の端部から、第３開口部７０ｄと逆側に離れて配置されている。そのため、リードケーブル８１を、第３開口部７０ｄからケーブル引出通路７０ａに挿入する際に、リードケーブル８１をケーブル引出通路７０ａに入れやすい。これにより、チューブ８３が損傷することをより抑制できる。したがって、封止材９０が漏れることをより抑制できる。また、送風装置１０の組み立て性をより向上できる。
【００５７】
また、第１凸部７１および第２凸部７２は、曲面部を有する。そのため、リードケーブル８１をケーブル引出通路７０ａに挿入する際に、チューブ８３における第１凸部７１および第２凸部７２と接触部分が損傷することを抑制できる。これにより、封止材９０が漏れることをより抑制できる。
【００５８】
図６に示すように、チューブ８３は、第１凸部７１および第２凸部７２が配置された箇所と異なる位置において、ケーブル引出通路７０ａにおける周方向両側の内側面７０ｅ，７０ｆと接触している。すなわち、チューブ８３の外側面は、各凸部と接触する部分以外においても、ケーブル引出通路７０ａの内側からケーブルガイド部７０と接触している。そのため、チューブ８３とケーブルガイド部７０との接触面積を大きくすることができ、封止材９０が漏れることをより抑制できる。
【００５９】
また、本実施形態のように、第１凸部７１と第２凸部７２とが延伸方向において異なる位置に配置される場合、チューブ８３が第２凸部７２によって幅方向に押された際、チューブ８３が押し付けられる箇所は内側面７０ｅにおける第１凸部７１が配置されていない箇所となる。そのため、チューブ８３を内側面７０ｅにおける第１凸部７１が配置された以外の箇所に接触させやすい。また、同様に、チューブ８３が第１凸部７１によって幅方向に押された際、チューブ８３が押し付けられる箇所は内側面７０ｆにおける第２凸部７２が配置されていない箇所となる。そのため、チューブ８３を内側面７０ｆにおける第２凸部７２が配置された以外の箇所に接触させやすい。
【００６０】
図６では、内側面７０ｅにおける第１凸部７１が配置された箇所と異なる位置は、第１凸部７１同士の間を含む。すなわち、チューブ８３は、第１凸部７１同士の延伸方向の間において、ケーブル引出通路７０ａにおける周方向一方側の内側面７０ｅと接触している。また、図示は省略するが、内側面７０ｆにおける第２凸部７２が配置された箇所と異なる位置は、第２凸部７２同士の間を含む。すなわち、チューブ８３は、第２凸部７２同士の延伸方向の間において、ケーブル引出通路７０ａにおける周方向他方側の内側面７０ｆと接触している。そのため、第１凸部７１同士の間および第２凸部７２同士の間においても封止材９０を堰き止めることができ、封止材９０が漏れることをより抑制できる。
【００６１】
本実施形態のように、第１凸部７１と第２凸部７２とが、それぞれ３つずつ設けられる場合、ケーブル引出通路７０ａの延伸方向の寸法が比較的短い場合に、第１凸部７１と第２凸部７２とを好適な間隔でそれぞれ配置しやすい。これにより、第１凸部７１および第２凸部７２と、ケーブル引出通路７０ａの内側面における各凸部同士の間との両方に、リードケーブル８１を好適に接触させることができる。したがって、封止材９０が漏れることをより抑制できる。
【００６２】
第３凹部８４ｃは、軸方向下側に窪み第３凸部７３が挿入された凹部である。第３凹部８４ｃの内側面は、第３凸部７３と密着している。すなわち、第３凸部７３は、チューブ８３の外側面のうち第３凹部８４ｃを構成している部分と接触している。そのため、封止材９０がチューブ８３と第３凸部７３との接触箇所で堰き止められる。したがって、軸方向においても、封止材９０が、ケーブル引出通路７０ａを通過することを抑制でき、第２開口部７０ｃからケーブル引出通路７０ａの外部に漏れ出すことをより抑制できる。
【００６３】
また、第３凸部７３は、第１凸部７１の上端と第２凸部７２の上端とを繋いでいるため、第１凸部７１と第３凸部７３との間、第２凸部７２と第３凸部７３との間を封止材９０が通過することを抑制できる。これにより、封止材９０が漏れることをより抑制できる。また、第１凸部７１と第２凸部７２と第３凸部７３とが連結された連結凸部７４が複数設けられているため、より封止材９０が漏れることを抑制できる。
【００６４】
第１凹部８４ａ、第２凹部８４ｂおよび第３凹部８４ｃは、例えば、リードケーブル８１をケーブル引出通路７０ａに挿入した際に、チューブ８３の外側面が第１凸部７１、第２凸部７２および第３凸部７３によって押されて塑性変形することで形成される。上述したように、リードケーブル８１は、例えば、チューブ８３が熱収縮されつつケーブル引出通路７０ａに押し込まれる。このとき、チューブ８３には熱が加えられているため、比較的柔らかく、各凸部によって各凹部が形成されやすい。
【００６５】
本発明は上述の実施形態に限られず、他の構成を採用することもできる。以下の説明において上記説明と同様の構成については、適宜同一の符号を付す等により説明を省略する場合がある。
【００６６】
第１凸部７１の数と第２凸部７２の数とは、特に限定されず、２つ以下であってもよいし、４つ以上であってもよい。第１凸部７１の数と第２凸部７２の数とは、互いに異なっていてもよい。また、第１凸部７１および第２凸部７２のいずれか一方あるいは両方は、１つのみ設けられていてもよい。第１凸部７１と第２凸部７２とが１つずつ設けられる場合、第１凸部７１と第２凸部７２とは、延伸方向において同じ位置にあってもよい。
【００６７】
第３凸部７３の数は、特に限定されず、２つ以下であってもよいし、４つ以上であってもよい。第３凸部７３の数は、第１凸部７１の数および第２凸部７２の数と互いに異なっていてもよい。第３凸部７３は、第１凸部７１と第２凸部７２とを連結していなくてもよい。第３凸部７３は、設けられていなくてもよい。
【００６８】
また、ケーブル引出通路７０ａは、溝でなくてもよい。この場合、ケーブル引出通路７０ａは、全周が閉じられた通路であってもよい。ケーブル引出通路７０ａは、直線状であってもよいし、軸方向に視て径方向に対して傾斜していなくてもよい。リブ６０は、直線状であってもよいし、軸方向に視て径方向に対して傾斜していなくてもよい。リブ６０は、翼形状でなくてもよい。
【００６９】
また、第１凸部７１および第２凸部７２は、図７に示す第１凸部１７１および第２凸部１７２のような構成であってもよい。軸方向において、第１凸部１７１の第３開口部７０ｄ側の端部１７１ａおよび第２凸部１７２の第３開口部７０ｄ側の端部１７２ａは、軸方向上側から軸方向下側に向かうに従って突出高さが小さくなっている。そのため、リードケーブル８１を、第３開口部７０ｄからケーブル引出通路７０ａに挿入する際に、リードケーブル８１をケーブル引出通路７０ａに入れやすい。これにより、チューブ８３が損傷することをより抑制できる。したがって、封止材９０が漏れることを抑制できる。
【００７０】
端部１７１ａのケーブル引出通路７０ａ側の面および端部１７２ａのケーブル引出通路７０ａ側の面は、傾斜した平坦面である。なお、端部１７１ａのケーブル引出通路７０ａ側の面および端部１７２ａのケーブル引出通路７０ａ側の面は、曲面であってもよい。端部１７１ａの下端および端部１７２ａの下端は、ケーブルガイド部１７０の下端と軸方向において同じ位置にある。なお、図５に示した構成と同様に、端部１７１ａの下端および端部１７２ａの下端は、ケーブル引出通路７０ａの第３開口部７０ｄ側の端部から、第３開口部７０ｄと逆側に離れて配置されていてもよい。
【００７１】
上記の各構成は、相互に矛盾しない範囲内において、適宜組み合わせることができる。
【符号の説明】
【００７２】
１０…送風装置、２０…インペラ、３０…モータ、３３…ロータマグネット、３４…ステータ、４０…モータ支持部、４１…ステータ支持部、４２…収容部、４２ａ…底面部、５０…ハウジング、６０…リブ、６０ａ…傾斜面、７０，１７０…ケーブルガイド部、７０ａ…ケーブル引出通路、７０ｂ…第１開口部、７０ｃ…第２開口部、７０ｄ…第３開口部、７０ｅ，７０ｆ，７０ｇ…内側面、７１，１７１…第１凸部、７１ａ…曲面部、７２，１７２…第２凸部、７３…第３凸部、７４…連結凸部、８０…回路基板、８１…リードケーブル、８２…リード線、８３…チューブ、８４ａ…第１凹部、８４ｂ…第２凹部、８４ｃ…第３凹部、９０…封止材、Ｊ…中心軸
【図１】
2017188436.tif 000003
【図２】
2017188436.tif 000004
【図３】
2017188436.tif 000005
【図４】
2017188436.tif 000006
【図５】
2017188436.tif 000007
【図６】
2017188436.tif 000008
【図７】
2017188436.tif 000009
【国際調査報告】
2017188436.tif 000010
2017188436.tif 000011